(57)【特許請求の範囲】
【請求項１】
回転駆動される植付伝動軸からの動力を植付軸に伝達するチェン伝動機構を内装したプランタケースを備え、該チェン伝動機構を押圧するチェンタイトをプランタケース内の下面側に設けた移植機であって、上記プランタケースの前端部に植付伝動軸を収納する収納部を設け、上記収納部には、プランタケースの前方下方に開口部を設けると共に、該開口部に向けて鋳造時の中子を抜く抜き勾配を設ける一方、上記収納部に連通する動力伝達装置を内装した前後方向の筒状部には、プランタケースの後端に設けた開口部に向けて中子を抜く抜き勾配を設けて、鋳造時の中子をプランタケースの前方下方と後方とに抜くことにより一体状に形成可能に構成したことを特徴とする移植機。
【請求項２】
前記プランタケースの前方下方に設けた開口部の近傍にチェンタイトの取付部を設けたことを特徴とする請求項１記載の移植機。
【発明の詳細な説明】
【０００１】
【発明の属する技術分野】
本発明は、植付伝動軸からの動力を植付軸に伝達する動力伝達装置を内装したプランターケースを備えた移植機に係るものである。
【０００２】
【従来の技術】
一般に、田植機等の移植機においては、回転駆動される植付伝動軸からの動力を、中空状のプランタケースに内装した動力伝達装置で伝達してプランタケースの後端に設けた植付軸を回転駆動している。
【０００３】
このような中空状のプランタケースには、組立て工数の低減を図るため、ケースを左右半割り状にすることなく、ケース全体を鋳造によって一体形成して、動力伝動機構を内装するとともに、動力伝動機構の潤滑用オイルを貯留したものが知られている。
【０００４】
ところが従来のプランタケースを一体状に鋳造する際に使用される鋳型は、その中子を前後に二分割して、プランタケースの略中央を境界として前方と後方に向けて抜くようにしている。そして二分割した中子には、それぞれ前方と後方に抜くための抜き勾配が設けてあるので、中子を抜いて完成したときのプランタケースは、中子の境界となる中央部分が最も狭い絞り部分となり、この絞り部分から両端側にゆくほど次第に拡開する形状となっている。
【０００５】
このため、プランタケース内の潤滑用オイルを交換する時にプランタケースの後端部を開口しても、後方に向けて流失するオイルの流れが、ケースの中央にある絞り部分により妨げられて、プランタケースの前半部にあるオイルがそのままプランタケース内に残留するという問題があり、また、プランタケースに内装した動力伝動機構にはチェンタイトの取付けが容易でなかった。
【０００６】
【発明が解決しようとする課題】
本発明は上記のような問題点を解消すべく創作されたものであって、その目的とするところは、鋳造によって一体形成したプランタケースであっても、メンテナンス時にプランタケースの後端部を開口すれば、プランタケース内のオイルをほとんど完全に抜くことができ、また、プランタケースに内装される動力伝動機構のチェンタイトをプランタケースの前端側から容易に取付けることができる移植機のプランタケース構造を提供しようとするものである。
【０００７】
【課題を解決するための手段】
上記の課題を解決するため本発明が講じた技術的手段は、回転駆動される植付伝動軸からの動力を植付軸に伝達するチェン伝動機構を内装したプランタケースを備え、該チェン伝動機構を押圧するチェンタイトをプランタケース内の下面側に設けた移植機であって、上記プランタケースの前端部に植付伝動軸を収納する収納部を設け、上記収納部には、プランタケースの前方下方に開口部を設けると共に、該開口部に向けて鋳造時の中子を抜く抜き勾配を設ける一方、上記収納部に連通する動力伝達装置を内装した前後方向の筒状部には、プランタケースの後端に設けた開口部に向けて中子を抜く抜き勾配を設けて、鋳造時の中子をプランタケースの前方下方と後方とに抜くことにより一体状に形成可能に構成したことを特徴とし、また、プランタケースの前方下方に設けた開口部の近傍にチェンタイトの取付部を設けたことを特徴とするものである。
【０００８】
【発明の実施の形態】
次に本発明の実施の形態を、図面に示された一実施例に基いて詳細に説明する。
まず、図１において、１は移植機として例示する乗用田植機の植付部であって、該植付部１は走行機体に装備したリンク機構２の後端に昇降フレーム３を介して昇降およびローリング自在に支持されている。
【０００９】
４は上記植付け部１のドライブケースから機体の左右方向に延設された植付伝動軸であって、該植付伝動軸４のケースには、前後方向のプランタケース５、５…の前端部が所定間隔毎に取付固定されている。また、プランタケース５の後端部に植付軸６が支持されており、プランタケース５を左右に貫通した上記植付軸６の両端には、図示しないプランタアームが装着されている。そして植付伝動軸４からの動力がプランタケース５に内装した動力伝動機構としてのチェン７、スプロケット８等からなるチェン伝動機構９を介して上記植付軸６に伝達され、植付軸６の回転に伴ってプランタアームが植付作動する。
【００１０】
上記プランタケース５、５…の上方には、往復横送りされる苗載台１０が前高後低状に架設されており、この苗載台１０に載置された苗を縦送り装置１１が縦送りする。１２は縦送り装置１１の縦送りベルト、１３はベルトローラであって、縦送りシャフトに設けた駆動カム１４が縦送りレバー１５を間欠的に叩き上げることにより、ベルトローラ１３を回転させ、これに連動して回動する縦送りベルト１２が苗を縦送りするものである。そして、エプロン１６上に送り出された苗を植付作動するプランタアームが掻取って圃場に植付けるようになっている。１７は田面を滑走するフロートである。
【００１１】
上記エプロン１６は、左右方向の台座部１８が、プランタケース５側に固定された支持体１９に、ボルト等を介して上下平行移動可能に支持されており、苗載台１０の下端側が台座部１８に嵌合するスライドピース２０を介してスライド自在に支持されていて、台座部１８をガイドとして苗載台１０が横送り機構によって所定の速度で往復横送りされる。
【００１２】
上記前後方向のプランタケース５は、鋳造によって中空状に一体形成したものであって、図２〜図４に示すように、その前端部に植付伝動軸４の貫通孔２１が形成されており、後端部には植付軸６の貫通孔２２が形成されている。そしてプランタケース５の前端部が、貫通孔２１で支持された植付伝動軸４の収納部２３となっている。
【００１３】
上記収納部２３はプランタケース５の前方下方に設けた開口部２４に向けて中空状に形成されている。そして上記収納部２３は、鋳造時の中子を前方下方に抜くための抜き勾配が矢印Ａ方向に拡開状に形成されている。
【００１４】
また、上記収納部２３の後面側に連通して一体状に形成されたプランタケース５の筒状部分が、植付軸６への動力伝動機構としてのチェン伝動機構９、および、貫通孔２２で支持された植付軸６の収納部２５となっている。そして上記筒状の収納部２５は、収納部２３との連通位置からプランタケース５の後端にある開口部２６に向けて、鋳造時の中子を抜くための抜き勾配により矢印Ｂ方向に拡開状に形成されている。
【００１５】
このように鋳造時の中子をプランタケース５の前方下方と後方とに抜くことにより、中空状のプランタケース５を一体状に形成できるようになっている。なお開口部２４、２６は、プランタケース５の組付け後、蓋体で閉鎖するものである。
【００１６】
また、２７はプランタケース５に内装されるチェン伝動機構９を押圧するチェンタイトであって、チェンの張り方向に沿って配置される上記チェンタイト２７の取付け部２８が、プランタケース５の前方下方に設けた開口部２４の近傍位置に設けられている。すなわち上記取付け部２８は、図４の（ハ）で示すように、開口部２４の両側部に切欠き溝状に形成されていて、チェンタイト２７の前端部を固定した支持軸２９を溝状の取付け部２８に着脱可能となっている。
【００１７】
本発明は上記のように構成したので、移植作業を行うに当たり、機体の走行に伴って苗載台１０が往復横送りされ、載置された苗を縦送り装置１１がエプロン１６上に送り出す。そしてプランタケース５の後端側に支持された植付軸６が、プランタケース５に内装されたチェン伝動機構９を介して伝達される植付伝動軸４からの動力により回転駆動され、これに連動して植付作動するプランタアームがエプロン１６上の苗を掻取って圃場に植付ける。
【００１８】
上記プランタケース５は、アルミ鋳物等で鋳造する際に、中子をプランタケース５の前方下方と後方とに抜くことにより、容易に一体状に形成することができる。
【００１９】
そして上記プランタケース５の動力伝達装置を内装した筒状部は、中子を抜くための抜き勾配により、プランタケース５後端の開口部２６に向けて拡開状に形成されているので、メンテナンス作業時に、プランタケース５の内部にあるオイルを交換するため、プランタケース５の後端に設けた開口部２６を開口すれば、プランタケース５内にあるオイルは筒状部の勾配に沿って開口部２６から流失するので、プランタケース５の前端部に設けた収納部２３内に少量のオイルを残すのみで、プランタケース５内のオイルをほとんど抜くことができる。
【００２０】
また、収納部２３には前方下方に開口部２４があるので、必要に応じて開口部２４を開けば、収納部２３内に残った少量のオイルでも確実に抜くことができる。
【００２１】
そしてプランタケース５に内装したチェン伝動機構９のチェンタイト２７は、その前端側の支持軸２９を、開口部２４の近傍にある取付け部２８に容易に取付けることができるので、チェンの張り方向に沿ったチェンタイト２７の取付け、取替えを容易に行うことができる。
【００２２】
【発明の効果】
これを要するに本発明は、回転駆動される植付伝動軸からの動力を植付軸に伝達するチェン伝動機構を内装したプランタケースを備え、該チェン伝動機構を押圧するチェンタイトをプランタケース内の下面側に設けた移植機であって、上記プランタケースの前端部に植付伝動軸を収納する収納部を設け、上記収納部には、プランタケースの前方下方に開口部を設けると共に、該開口部に向けて鋳造時の中子を抜く抜き勾配を設ける一方、上記収納部に連通する動力伝達装置を内装した前後方向の筒状部には、プランタケースの後端に設けた開口部に向けて中子を抜く抜き勾配を設けて、鋳造時の中子をプランタケースの前方下方と後方とに抜くことにより一体状に形成可能に構成したことから、チェン伝動機構を内装したプランタケースの筒状部には、プランタケースの後端に設けた開口部に向けて中子を抜く抜き勾配が設けてあるので、メンテナンス作業時にオイルを交換するためプランタケースの後端部を開口すれば、障害物の少ない機体後部からプランタケース内にあるオイルをほとんど抜くことができる。
【００２３】
また、植付伝動軸の収納部に残った少量のオイルでも、必要に応じてプランタケースの前方下方に設けた開口部を開いて抜くことができ、チェンタイトの取付け、取替えを容易に行うことができる。
【００２４】
そして、前記プランタケースの前方下方に設けた開口部の近傍にチェンタイトの取付部を設けたことから、プランタケースに内装されたチェン伝動機構を押圧するチェンタイトを、プランタケースの前方下方にある開口部の近傍に取付けることができるので、チェンの張り方向に沿ったチェンタイトの取付け、取替えを容易に行うことができる。
【図面の簡単な説明】
【図１】植付部の側面図である。
【図２】プランタケースの縦断側面図である。
【図３】（イ）プランタケースの平面図である。
（ロ）同上底面図である。
【図４】（イ）プランタケースの側面図である。
（ロ）同上背面図である。
（ハ）側面図（イ）のＣ方向矢視図である。
【符号の説明】
４      植付伝動軸
５      プランタケース
６      植付軸
９      チェン伝動機構
２３    植付伝動軸の収納部
２４    前端側の開口部
２６    後端側の開口部
２７    チェンタイト
【図１】
0004295443.tif 000002
【図２】
0004295443.tif 000003
【図３】
0004295443.tif 000004
【図４】
0004295443.tif 000005